(57)【要約】      （修正有）【課題】物置を構成する各パネルにうねりや凹みが生じることがなく、荷重等に対する屈曲強度を有し、堅牢であり、耐久性及び安定性の向上を図った物置を提供する。【解決手段】物置を構成する各パネル１、２、３、４及び５が間隔をあけて設けられた中空部２３、３１と該中空部２３、３１間を連結する連結部２４、３２とで構成されてなり、好ましくは、前記各パネル１、２、３、４及び５の中空部２３、３１の全体が前記連結部２４、３２を除いて連通させられてなる。【選択図】図１
0003168742.tif 000002
【実用新案登録請求の範囲】
【請求項１】
物置を構成する各パネルが間隔をあけて設けられた中空部と該中空部間を連結する連結部とで構成されてなることを特徴とするプラスチック製物置。
【請求項２】
前記各パネルの中空部の全体が連結部を除いて連通させられてなることを特徴とする請求項１に記載のプラスチック製物置。
【考案の詳細な説明】
【技術分野】
【０００１】
本考案は、プラスチック製物置に関し、詳しくは、堅牢で、耐久性及び安定性の向上を図った新規なプラスチック製物置に関する。
【背景技術】
【０００２】
従来、底面パネル、両側パネル、後面パネル、屋根パネル及び棚板パネル、さらにシャッター部材からなるプラスチック製物置が提供されている（登録実用新案第３００５８３０号公報、実開平７−４０９８３号公報）。
【０００３】
従来一般に提供されているプラスチック製物置は、前記各パネルがそれぞれ一枚板で構成され、その内側面に多くの縦横リブを設けることにより荷重等に対する屈曲強度を持たせ、いずれもインジェクション成形により構成されていた。しかしながら、一般に屋外に設置されて風雨及び日光にさらされること及び荷重等に対する屈曲強度、堅牢性、耐久性及び安定性に限界があった。
【先行技術文献】
【特許文献】
【０００４】
【特許文献１】登録実用新案第３００５８３０号公報
【特許文献２】実開平７−４０９８３号公報
【考案の概要】
【考案が解決しようとする課題】
【０００５】
前記登録実用新案第３００５８３０号に係る考案は、屋根部にうねりや凹みが生じると、この部分に雨水等が溜まって排水されないという問題が生じることに鑑み、周壁部に支持されて屋根部を補強する補強部材と、前記屋根部の裏面に設けられ前記補強部材に当接して前記屋根部を補強すると共にその高さを調整して前記屋根部の各位置での高さを調整するリブを備えた構成とすることを提案している。もっとも、前記うねりや凹みが生じるのは前記屋根部に限らず、底面パネル部、両側パネル部及び後面パネル部も同様であった。
【０００６】
本考案は前記事情に鑑み、物置を構成する各パネルにうねりや凹みが生じることがなく、荷重等に対する屈曲強度を有し、堅牢であり、耐久性及び安定性の向上を図った新規な物置を提供することを目的とする。
【課題を解決するための手段】
【０００７】
前記課題を解決するため、本考案に係る物置は、物置を構成する各パネルが間隔をあけて設けられた中空部と該中空部間を連結する連結部とで構成されてなることを特徴とする（請求項１）。
【０００８】
前記構成の本考案は、各パネルが実質二枚板構造である。すなわち、前記中空部では外板と内板が所定の間隔があけられ、前記連結部では二枚板が重ね合わされて連結された状態に構成される。したがって、略ハニカム構造となり、荷重等に対する屈曲強度の向上が図られ、各パネルにうねりや凹みが生じることが防止され、物置として組立てた場合に、堅牢であり、耐久性及び安定性を有する。
【０００９】
本考案の実施の一形態は、前記各パネルの中空部の全体が連結部を除いて連通させられてなることを特徴とする（請求項２）。
【００１０】
前記本考案の物置を構成する各パネルはブロー成型を利用して製造されるが、予め、前記各パネルの中空部の全体が連結部を除いて連通させられるように成形型を構成することにより成形時の空気の吹き込み作業を迅速に行うことができる。
【考案の効果】
【００１１】
本考案によれば、パネルにうねりや凹みが生じることが防止され、荷重等に対する屈曲強度に優れ、堅牢であり、耐久性及び安定性の向上を図った物置を提供することができる。
【図面の簡単な説明】
【００１２】
【図１】本考案に係る物置の斜視図である。
【図２】底面パネルの平面図である。
【図３】底面パネルの斜視図である。
【図４】図１のＡ−Ａ線断面図である。
【図５】側面パネルの正面図である。
【図６】側面パネルの斜視図である。
【図７】後面パネルの正面図である。
【図８】後面パネルの斜視図である。
【図９】屋根パネルの斜視図である。
【図１０】屋根パネルの底面図である。
【図１１】棚板パネルの斜視図である。
【図１２】図１１のＢ−Ｂ線断面図である。
【考案を実施するための形態】
【００１３】
以下、添付図面を参照して、本考案の実施の一形態について説明する。図１において、１は底面パネル、２、２は側面パネル、３は後面パネル、４は屋根パネル、５は棚板パネル、６はシャッター、７は棚板支持棒である。
【００１４】
前記底面パネル１は、図１乃至図４に示すように、中央部が一段高く形成され、低く形成された周縁の両端部が前記側面パネル２、２の起立面８、８とされ、周縁の後部が前記後面パネル３の起立面９とされ、周縁の前部が前記シャッター６の閉じ面１０とされている。
【００１５】
さらに、前記側面パネル２、２の起立面８、８のそれぞれ両端近くには側面パネル２、２の下端面に形成された適合凸部１１、１１が適合する適合凹部１２、１２が形成される。また、前記後面パネル３の起立面９の両端近くには後面パネル３の下端面に形成された適合凸部１３が適合する適合凹部１４が形成されている。また、前記シャッター６の閉じ面１０にはシャッター錠１５の係合部１６が形成される。
【００１６】
さらに本考案では、前記底面パネル１が間隔をあけて設けられた中空部１７と該中空部間を連結する連結部１８とを有する。すなわち、間隔をあけて前後方向に設けられた中空部１７と該中空部１７間を連結する連結部１８とにより必要とする荷重に耐える構造となっている。
【００１７】
さらに、詳細を図示していないが、前記中空部１７の全体が前記連結部１８を除いて連通させられている。図中、１９は脚部であり、前記底面パネル１の下面の四隅部に形成されている。前記構成の底面パネル１はブロー成形によって構成される。
【００１８】
側面パネル２、２は、図５及び図６に一方のみが示されているが、二枚の内側面の構成が互いに向かい合う対称に形成され、それぞれに前記棚板支持棒７の両端の係合部２０が適数段に設けられ、さらに内側面の前部から後部にかけてシャッター６のガイド溝２１が形成され、内側面の上端部にはシャッター６の支持部２２が形成される。
【００１９】
さらに本考案では、前記側面パネル２、２が間隔をあけて設けられた中空部２３と該中空部２３間を連結する連結部２４とを有する。すなわち、間隔をあけて縦方向に設けられた中空部２３と該中空部２３間を連結する連結部２４とにより荷重等に対する屈曲強度が向上させられている。さらに、前記連結部２４を縦方向の全体に設けることなく、該連結部２４の上下端部において前記中空部２３の全体が連通させられている。前記構成の側面パネル２、２はブロー成型によって構成される。
【００２０】
後面パネル３は、図７及び図８に示すように、内側面の下半部が厚く、上半部が該下半部よりも薄く形成され、その間に生じた段部がシャッター６のストッパー部２５とされる。
【００２１】
さらに、本考案では、前記後面パネル３が間隔をあけて設けられた中空部２６と該中空部２６間を連結する連結部２７とを有する。すなわち、間隔をあけて縦方向に設けられた中空部２６と該中空部２６間を連結する連結部２７により荷重等に対する屈曲強度が向上させられている。さらに、前記連結部２７を縦方向の全体に設けることなく、前記連結部２７の上下端部において前記中空部２６の全体が連通させられている。前記構成の後面パネル３はブロー成形によって構成される。
【００２２】
屋根パネル４は、図９及び図１０に示すように、下面の周縁部に、前記側面パネル２、２及び前記後面パネル３の上端部に適合する被嵌部２８が形成される。また、上面の周縁部には凸状部２９、２９ａが形成され、さらに該凸状部２９のうち、後部の凸状部２９ａの両端部が切除されて雨水の流出口３０とされる。
【００２３】
さらに、本考案では、前記屋根パネル４が間隔をあけて設けられた中空部３１と該中空部３１間を連結する連結部３２とを有する。すなわち、間隔をあけて前後方向に設けられた中空部３１と該中空部３１間を連結する連結部３２によりうねりや凹みが生じることが防止される。さらに、前記連結部３２を幅方向の全体に設けることなく、該連結部３２の両端部において前記中空部３１の全体が連通させられている。前記構成の屋根パネルはブロー成形によって構成される。
【００２４】
棚板パネル５は、図１１及び図１２に示すように、下面の横方向に平行に棚板支持棒７の適合溝３３、３３が形成され、図面実施例では後端部に凸状部３４が形成されている。
【００２５】
さらに本考案では、前記棚板パネル５が所定間隔をあけて設けられた中空部３５と該中空部３５間を連結する連結部３６とを有する。すなわち、間隔をあけて横方向に設けられた中空部３５と該中空部３５間を連通する連結部３６が支持棒７とともに荷重等に対する屈曲強度を向上させる。さらに、前記連結部３６を幅方向の全体に設けることなく、該連結部３６の両端部において前記中空部３５の全体が連通させられている。前記構成の棚板パネル５はブロー成形によって構成される。
【００２６】
前記底面パネル１、側面パネル２、２、後面パネル３、屋根パネル４及び棚板パネル５の組み立ての一例を以下に説明する。
【００２７】
まず、側面パネル２、２と後面パネル３を上下逆方向にしてコ字状に組み合わせて固定ネジにより連結する。つぎに、前記コ字状に連結された側面パネル２、２と後面パネル３の上端に前記底面パネル１を裏返しの状態で被せて載せる。
【００２８】
つぎに、前記底面パネル１側から固定ネジを螺合して該底面パネル１と前記側面パネル２、２及び後面パネル３を一体にする。
【００２９】
つぎに、一体にされた前記底面パネル１、側面パネル２、２及び後面パネル３を反転させて、前記底面パネル１を下にして、該底面パネル１上に前記側面パネル２．２及び後面パネル３が起立させられた状態とする。
【００３０】
つぎに、棚板パネル支持棒７が側面パネル２、２の内側面に形成された係合部２０に取り付けられ、さらに前記支持棒７の上部に棚板パネル５が載置及び設置される。同時に、前記側面パネル２、２の内側面に形成されたシャッター６のガイド溝２１にシャッター６が案内されて支持及び取り付けられる。
【００３１】
その後、前記側面パネル２、２及び後面パネル３の上端部に屋根パネル４を被せて、該屋根パネル４と前記側面パネル２、２及び後面パネル３を固定ねじにより一体にすることにより組み立てが完了する。なお、その他の方法で組立ててもよい。
【符号の説明】
【００３２】
１  底面パネル
２  側面パネル
３  後面パネル
４  屋根パネル
５  棚板パネル
１７、２３、２６、３１、３５  中空部
１８、２４、２７、３２、３６  連結部
【図１】
0003168742.tif 000003
【図２】
0003168742.tif 000004
【図３】
0003168742.tif 000005
【図４】
0003168742.tif 000006
【図５】
0003168742.tif 000007
【図６】
0003168742.tif 000008
【図７】
0003168742.tif 000009
【図８】
0003168742.tif 000010
【図９】
0003168742.tif 000011
【図１０】
0003168742.tif 000012
【図１１】
0003168742.tif 000013
【図１２】
0003168742.tif 000014
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
物置を形成する底面パネル、両側面パネル、後面パネル及び屋根パネルがそれぞれ間隔をあけて設けられた複数の中空部と該中空部の外側端部間を連結する連結部で構成され、前記各パネルを組み合わせて固定ねじにより一体に構成してなることを特徴とするプラスチック製物置。
【請求項２】
前記それぞれの中空部の両端部間が連通させられてなることを特徴とする請求項１に記載のプラスチック製物置。
【手続補正２】
【補正対象書類名】明細書
【補正対象項目名】０００７
【補正方法】変更
【補正の内容】
【０００７】
前記課題を解決するため、本考案に係る物置は、物置を形成する底面パネル、側面パネル、後面パネル及び屋根パネルがそれぞれ間隔をあけて設けられた複数の中空部と該中空部の外側端部間を連結する連結部で構成され、前記各パネルを組み合わせて固定ねじにより一体に構成してなることを特徴とする（請求項１）。
【手続補正３】
【補正対象書類名】明細書
【補正対象項目名】０００８
【補正方法】変更
【補正の内容】
【０００８】
前記構成の本考案は、各パネルが実質二枚板構造である。すなわち、前記中空部では外板と内板が所定の間隔があけられ、該中空部の外側端部間を連結する連結部は前記二枚板が重ね合わされて一枚板の状態に構成される。したがって、略ハニカム構造となり、荷重等に対する屈曲強度の向上が図られ、各パネルにうねりや凹みが生じることが防止され、物置として組立てた場合に、堅牢であり、耐久性及び安定性を有する。
【手続補正４】
【補正対象書類名】明細書
【補正対象項目名】０００９
【補正方法】変更
【補正の内容】
【０００９】
本考案の実施の一形態は、前記それぞれの中空部の両端部間が連通させられてなることを特徴とする（請求項２）。
【手続補正５】
【補正対象書類名】明細書
【補正対象項目名】００１０
【補正方法】変更
【補正の内容】
【００１０】
前記本考案の物置を構成する各パネルはブロー成形を利用して製造されるが、予め、前記各パネルの中空部の両端部間が連通させられる。そして、前記各パネルの中空部の全体が連通させられた成形型を構成することにより成形時の空気の吹き込み作業を迅速に行うことができる。
【手続補正６】
【補正対象書類名】明細書
【補正対象項目名】００１６
【補正方法】変更
【補正の内容】
【００１６】
さらに、本考案では、前記底面パネル１が間隔をあけて設けられた複数の中空部１７と該中空部１７の外側端部間を連結する連結部１８とを有する。すなわち、間隔をあけて前後方向に設けられた中空部１７と該中空部１７の外側端部間を連結する連結部１８とにより荷重に耐える構造となっている。
【手続補正７】
【補正対象書類名】明細書
【補正対象項目名】００１７
【補正方法】変更
【補正の内容】
【００１７】
さらに、詳細を図示していないが、前記中空部１７の全体が前記連結部１８を除いて連通させられている。すなわち、前記それぞれの中空部１７の両端部間が連通させられている。図中、１９は脚部であり、前記底面パネル１の下面の四隅部に形成されている。前記構成の底面パネル１はブロー成形によって形成される。
【手続補正８】
【補正対象書類名】明細書
【補正対象項目名】００１９
【補正方法】変更
【補正の内容】
【００１９】
さらに、本考案では、前記側面パネル２、２がそれぞれ間隔をあけて設けられた複数の中空部２３と該中空部２３の外側端部間を連結する連結部２４とを有する。すなわち、間隔をあけて縦方向に設けられた中空部２３と該中空部２３の外側端部間を連結する連結部２４とにより荷重等に対する屈曲強度が向上させられている。さらに、前記連結部２４を縦方向の全体に設けることなく、該連結部２４の上下端部において前記中空部２３の全体が連通させられている。前記構成の側面パネル２、２はブロー成形によって構成される。
【手続補正９】
【補正対象書類名】明細書
【補正対象項目名】００２１
【補正方法】変更
【補正の内容】
【００２１】
さらに、本考案では、前記後面パネル３がそれぞれ間隔をあけて設けられた複数の中空部２６と該中空部２６の外側端部間を連結する連結部２７を有する。すなわち、間隔をあけて縦方向に設けられた中空部２６と該中空部２６の外側端部間を連結する連結部２７により荷重等に対する屈曲強度が向上させられている。さらに、前記連結部２７を縦方向の全体に設けることなく、前記連結部２７の上下端部において前記中空部２６の全体が連通させられている。前記構成の後面パネル３はブロー成形によって構成される。
【手続補正１０】
【補正対象書類名】明細書
【補正対象項目名】００２３
【補正方法】変更
【補正の内容】
【００２３】
さらに、本考案では、前記屋根パネル４がそれぞれ間隔をあけて設けられた複数の中空部３１と該中空部３１の外側端部間を連結する連結部３２とを有する。すなわち、間隔をあけて前後方向に設けられた中空部３１と該中空部３１の外側端部間を連結する連結部３２によりうねりや凹みが生じることが阻止される。さらに、前記連結部３２を幅方向の全体に設けることなく、該連結部３２の両端部において前記中空部３１の全体が連通させられている。前記構成の屋根パネル４はブロー成形によって構成される。
【手続補正１１】
【補正対象書類名】明細書
【補正対象項目名】００２５
【補正方法】変更
【補正の内容】
【００２５】
さらに本考案では、前記棚板パネル５がそれぞれ間隔をあけて設けられた複数の中空部３５と該中空部３５の外側端部間を連結する連結部３６とを有する。すなわち、間隔をあけて横方向に設けられた中空部３５と該中空部３５の外側端部間を連結する連結部３６が支持棒７とともに荷重に対する屈曲強度を向上させる。さらに、前記連結部３６を幅方向の全体に設けることなく、該連結部３６の両端部において前記中空部３６の全体が連通させられている。前記構成の棚板パネル５はブロー成形によって構成される。